(57)【要約】【目的】  レンチキュラーレンズを用いた画像の形成に適した記録媒体、とりわけ、印字後に記録面にインク滴が残らず、直ちに触れることができる記録媒体の提供。【解決手段】  複数の半円筒状または円弧状の細長い凸部が並列に配置された凸部面および裏面とを有するレンチキュラーレンズ層と、前記裏面上に形成されたインク吸収層とを少なくとも有してなり、インク吸収層側からインクジェット記録方法によって印字を行い画像が記録される記録媒体の印字を行う側の最表面に、インク透過層が設けられた記録媒体。【選択図】  図２
2007004014.tif 000002
【特許請求の範囲】
【請求項１】
複数の半円筒状または円弧状の細長い凸部が並列に配置された凸部面および裏面とを有するレンチキュラーレンズ層と、前記裏面上に形成されたインク吸収層とを少なくとも有してなり、インク吸収層側からインクジェット記録方法によって印字を行い画像が記録される記録媒体であって、
印字を行う側の最表面に、インク透過層が設けられなることを特徴とする記録媒体。
【請求項２】
前記インク透過層が水非吸収性の多孔質構造を有するものである、請求項１に記載の記録媒体。
【請求項３】
請求項１に記載の記録媒体に、立体画像または動画として観察される画像が形成された、記録物。
【発明の詳細な説明】
【発明の背景】
【０００１】
発明の分野
本発明は、レンチキュラーレンズを用いた立体画像または動画を、インクジェット記録方法により形成可能な記録媒体に関する。
【０００２】
背景技術
印刷された画像を立体的に見せたり、これに動きを与えたりするいわゆる３Ｄ印刷の技術の一つに、レンチキュラーレンズを用いた手法がある。レンチキュラーレンズとは、半円筒状または円弧状の細長い凸部を複数配列したレンズの集合体をいい、これを通して画像を見たとき、観察者の左右の眼にそれぞれ異なる画像を与えるようにすることで、画像が立体的に見えたり、動いてみえたりする。
このようなレンチキュラーレンズを用いた画像をインクジェット記録方法により形成する提案が既になされている（特開平８−１３７０３４号、特許文献１）。
【発明の概要】
【０００３】
本発明は、レンチキュラーレンズを用いた画像の形成に適した記録媒体の提供を目的とするものである。とりわけ、印字後に記録面にインク滴が残らず、直ちに触れることができる記録媒体の提供を目的とするものである。
そして、本発明による記録媒体は、複数の半円筒状または円弧状の細長い凸部が並列に配置された凸部面および裏面とを有するレンチキュラーレンズ層と、前記裏面上に形成されたインク吸収層とを少なくとも有してなり、インク吸収層側からインクジェット記録方法によって印字を行い画像が記録される記録媒体であって、印字を行う側の最表面に、インク透過層が設けられなることを特徴とするものである。
【発明の具体的説明】
【０００４】
レンチキュラーレンズ
本発明において用いられるレンチキュラーレンズは、半円筒状または円弧状の細長い凸部を複数配列したレンズの集合体（レンズアレイ）を意味し、レンチキュラーレンズは、半円筒状または円弧状の細長い凸部が複数並列に配置された凸部面と、該凸部の裏面とを有し、該裏面は実質的に平坦である。図１はレンチキュラーレンズが、立体画像または動画を形成可能な原理を示す模式図である。すなわち、レンチキュラーレンズ１は、半円筒状または円弧状の細長い凸部が複数並列に配置された凸部２が集合したものであり、凸部２の裏面３は実質的に平坦である。この裏面３に好ましくは接して右目用画像４と、左目用画像５とを形成する。すると、右目６からは右目用画像４が見え、左目７からは左目用画像５が見える。この右目用画像４と左目用画像５とを左右の眼の視差による像とすると、観察者には立体的な画像に見える。また、右目用画像と、左目用画像を、視線角度によって異なるものとして二種以上用意した場合には、角度によって異なる画像が見え、それら画像を連続する像とすることにより、動画に見える。
【０００５】
本発明による記録媒体は、このレンチキュラーレンズの層を備える。このレンチキュラーレンズ層は、レンチキュラーレンズの機能を備える限り、その材質は限定されないが、好ましくは樹脂、例えばＰＥＴ、ＰＥＴＧ、ＡＰＥＴ、ＰＰ、ＰＳ、ＰＶＣ、アクリル、ＵＶ硬化樹脂などが挙げられる。
【０００６】
記録媒体
本発明による記録媒体１０の基本構造は図２に示されるとおりである。図２において、レンチキュラーレンズ層１の裏面３の上にインク吸収層８が設けられ、さらに記録媒体１０のレンチキュラーレンズ層１とは反対の側の最表面にインク透過層９が設けられてなる。
【０００７】
本発明による記録媒体は、レンチキュラーレンズ層１とは反対側のインク透過層９側からインクジェット記録方法によって記録が行われる。インクジェット記録方法によって吐出されたインク滴は、インク透過層９に付着し、その中を浸透し、インク吸収層８に至り、インク吸収層８内、好ましくはレンチキュラーレンズ１の裏面３の極めて近傍で定着され、画像を形成する。画像は、レンチキュラーレンズにより立体画像または動画となるようにインクジェット記録方法により形成される。インク透過層９は、実質的にインクを定着させず、インク吸収層８にインク滴を導く機能、好ましくは極めて速やかに導く機能を有する。その結果、インクジェット記録方法により画像を記録した直後であっても、記録媒体１０の記録面、すなわちインク透過層９の表面にはインクが残らず、手で触れることができる。
【０００８】
インク吸収層８は、インクを定着でき、好ましくはレンチキュラーレンズ１の裏面３の極めて近傍にインクを定着させることができる組成であれば特に限定されないが、好ましくはアクリルあるいはメタアクリル系、塩化ビニル系、酢酸ビニル系、ナイロン、スチレン／アクリル系、スチレン／ブタジエン系、ポリスチレン／アクリル系、ポリスチレン／イソプレン系、メチルメタアクリレート／ブチルメタアクリレート系、メラミン系、ポリカーボネート系、尿素系、エポキシ系、ウレタン系、フェノール系、ジアリルフタレート系、ポリエステル系等の吸水性の樹脂、特に好ましくはカチオン性吸水性ポリマー、例えばジメチルアミノエチル（メタ）アクリレート、ジエチルアミノエチル（メタ）アクリレートなどのジアルキルアミノアルキル（メタ）アクリレートの中和塩または四級化物、ジメチルアミノメチル（メタ）アクリルアミド及びジメチルアミノプロピル（メタ）アクリルアミドなどのようなジアルキルアミノアルキル（メタ）アクリルアミドなど、アニオン性吸水性ポリマー、例えば（メタ）アクリル酸、２−アクリルアミド−２−メチルプロパンスルホン酸、ビニルスルホン酸、スチレンスルホン酸、イタコン酸、マレイン酸、フマル酸、アリールスルホン酸などが挙げられる。
【０００９】
また、インク吸収層８は、吸水性または粒子吸着性の無機粒子を含んで構成されていてもよく、無機粒子の例としては、シリカ、カオリナイト、タルク、軽質炭酸カルシウム、重質炭酸カルシウム、ゼオライト、アルミナ、硫酸バリウム、カーボンブラック、酸化亜鉛、硫酸亜鉛、炭酸亜鉛、二酸化チタン、サチンホワイト、珪酸アルミニウム、ケイソウ土、珪酸カルシウム、水酸化アルミニウム、加水ハロイサイト、炭酸マグネシウム、水酸化マグネシウム等が挙げられる。これら無機粒子は、結着剤としての樹脂と組み合わせて層とされることが好ましい。結着剤の例としては、ポリエステル系樹脂、ポリウレタン樹脂、ポリエステルウレタン樹脂、アクリル系樹脂、メラミン樹脂、ポリビニルアルコール系樹脂、ポリビニルピロリドン、メチルセルロースなどを挙げることが出来る。また、上記した吸水性の樹脂と混合して、インク吸収層８とされてもよい。
【００１０】
インク透過層９は、インク吸収層８にインク滴を導く機能を有する限り、その材質は特に限定されないが、好ましくは水非吸収性の多孔質構造とされる。この多孔質構造は粒子により構成されてよく、そのような粒子の例としては、シリカ、カオリナイト、タルク、炭酸カルシウム、ゼオライト、アルミナ、硫酸バリウム、カーボンブラック、酸化亜鉛、酸化チタン、有機白色顔料、ベンゾグアナミン粒子、架橋ポリスチレン、架橋アクリル粒子、水酸化アルミニウム等が挙げられる。これら粒子は、結着剤により固定され、多孔質構造とされてよく、結着剤の例としては、ポリエステル系樹脂、ポリアクリル系樹脂、ポリウレタン系樹脂、各種共重合体などが挙げられるが、水分を吸着量が少ないアクリル系樹脂、アクリル・スチレン共重合体等が挙げられる。
【００１１】
本発明の好ましい態様によれば、インク透過層９は、インクの透過速度等を改善、調整するため、界面活性剤等を添加してもよい。
本発明の好ましい態様によれば、本発明による記録媒体は、インク透過層９またはインク吸収層８のいずれかまたは両方を非透明とすることで、背景が白色の記録媒体とすることができる。
また、本発明の一つの態様によれば、インク吸収層８と、インク透過層９との間に層を設けることも可能であり、例えば、両層の密着性を高めるための層などを設けてもよい。
【００１２】
本発明による記録媒体は、レンチキュラーレンズの裏面３上に、インク吸収層８を構成する成分と、場合により結着剤とを適当な溶媒、例えば水、有機溶剤に溶解または分散した組成物を塗布して乾燥させ、さらにその上に、インク透過層９を構成する成分と、結着剤とを適当な溶媒、例えば水、有機溶剤中に溶解または分散した組成物を塗布して乾燥させることによって製造することが出来る。
【図面の簡単な説明】
【００１３】
【図１】レンチキュラーレンズが、立体画像または動画を形成可能な原理を示す模式図。
【図２】本発明による記録媒体の基本構造を示す図。
【符号の説明】
【００１４】
１  レンチキュラーレンズ層
２  半円筒状または円弧状の細長い凸部が複数配列した凸部
３  レンチキュラーレンズの裏面
４、５  右目または左目用画像
６、７  右目および左目
８  インク吸収層
９  インク透過層
【図１】
2007004014.tif 000003
【図２】
2007004014.tif 000004